(57)【要約】【課題】  印刷媒体に付着したインクを効率的に硬化させつつ、インクフィルター、プリントヘッド内及びインク吹き出し口でインクが硬化しないようにした熱硬化型インク用ヒーター及び冷却システム、プリンタを提供する。【解決手段】  熱硬化型インク用ヒーター及び冷却システム、それを用いたプリンタは、印刷媒体１０の表面から非接触型のヒーター２によって印刷媒体１０に付着した水性インクを暖めて硬化させ、更にキャリッジ４を冷却させるための複数の冷却ファン３を設け、更に印刷媒体１０上の移動するキャリッジ４でヒーター２の熱が当たる部分には、耐熱カバー５を設けている。【選択図】        図２
2006264328.tif 000002
【特許請求の範囲】
【請求項１】
プリントヘッドを備えるキャリッジの移動方向に、前記キャリッジを冷却する冷却ファンを複数配置した冷却システムを設け、前記プリントヘッドから吐出された水性インクを熱で硬化させるヒーターを前記複数配列した冷却ファンに並行に設けたことを特徴とする熱硬化型インク用ヒーター及び冷却システム。
【請求項２】
複数配列した冷却ファンにおいて、送風量の多い冷却ファンを中央に配置したことを特徴とする請求項１記載の熱硬化型インク用ヒーター及び冷却システム。
【請求項３】
印刷休止中のキャリッジの停止位置上部に冷却ファンを設けたことを特徴とする請求項１又は２記載の熱硬化型インク用ヒーター及び冷却システム。
【請求項４】
複数配置した冷却ファンの内、両端の冷却ファンを内から外に風を排出するファンとしたことを特徴とする請求項１乃至３のいずれか記載の熱硬化型インク用ヒーター及び冷却システム。
【請求項５】
請求項１乃至４のいずれか記載の熱硬化型インク用ヒーター及び冷却システムを有することを特徴とするプリンタ。
【請求項６】
キャリッジにおいて、ヒーターの熱が当たる部分に熱を反射する耐熱カバーを設けたことを特徴とする請求項５記載のプリンタ。
【請求項７】
キャリッジにおいて、冷却ファンからの風を取り込むための風防を設けたことを特徴とする請求項５又は６記載のプリンタ。
【請求項８】
プリントヘッドと、当該プリントヘッドにインクを供給するインクフィルターとを備えるキャリッジを冷却する冷却システムであって、
前記インクフィルターを上面から覆うよう金属板が設けられ、当該金属板上部にインクフィルターを冷却するために冷却液を循環させる冷却パイプを設置したことを特徴とする冷却システム。
【請求項９】
プリントヘッドと、当該プリントヘッドにインクを供給するインクフィルターとを備えるキャリッジを冷却する冷却システムであって、
前記インクフィルターと当該インクフィルターの下部に取り付けられたプリントヘッドとの間に、前記インクフィルター側面及び前記プリントヘッド側面を冷却するために冷却液を循環させる冷却パイプを設置したことを特徴とする冷却システム。
【請求項１０】
プリントヘッドと、当該プリントヘッドにインクを供給するインクフィルターとを備えるキャリッジを冷却する冷却システムであって、
前記インクフィルターを上面から覆うよう金属板が設けられ、当該金属板上部に接触面を冷却させるペルチェ冷却ユニットを設置したことを特徴とする冷却システム。
【請求項１１】
請求項８乃至１０のいずれか記載の冷却システムを有することを特徴とするプリンタ。
【請求項１２】
請求項８又は９記載の冷却システムと、冷却液を冷却パイプに循環させるポンプと、当該冷却液を蓄えるタンクとを有し、
インクフィルターに供給するインクを冷却するためのインクタンクを前記タンク内に設置したことを特徴とするプリンタ。
【発明の詳細な説明】
【技術分野】
【０００１】
本発明は、インクジェットプリンタ用のヒーター及び冷却システムに係り、特に、熱硬化型インクを用いたインクジェットプリンタに最適なヒーター及び冷却システム、更にそれを用いたプリンタに関する。
【背景技術】
【０００２】
従来、ＵＶ硬化インクを用いて、紙だけでなく、プラスチック、金属にも直接印刷可能なインクジェットプリンタがある。このプリンタによって、大型ポスターを作成できるようになり、ビル一面の写真広告、バス全面の車体広告が実現可能となった。
【０００３】
尚、上記プリンタについては、平成１６（２００４）年２月５日公開の特開２００４−３４５４５号公報「インクジェット記録方法、インク及びインクジェットプリンタ」がある（特許文献１）。
このプリンタでは、ＵＶランプを用い、インクの温度を３０〜１００℃にして硬化させるものとなっている。
【０００４】
しかしながら、上記ＵＶ硬化インクは、消耗品であるＵＶランプのコストが高い、オゾンが発生する、表面平滑度の良い材料に対してインク定着が劣るという問題点があった。
【０００５】
また、熱で硬化するタイプの水性インクを用いてプラスチック、金属に直接印刷するインクジェットプリンタもある。この水性インクは、熱硬化型インクと呼ばれるもので、４０℃以上でインクが硬化するものである。このプリンタにおいてインクを暖まるために、紙等の印刷媒体の表面から非接触型のヒーターを用いるものとなっていた。
【０００６】
【特許文献１】特開２００４−３４５４５号公報
【発明の開示】
【発明が解決しようとする課題】
【０００７】
しかしながら、熱硬化型のインクを用いたインクジェットプリンタでは、熱でインクを硬化させるために、用紙等の印刷媒体を暖めると、プリントヘッドが暖まってしまい、インクフィルター、プリントヘッド内及びインクの吹き出し口でインクが硬化してしまい、安定した印刷ができないという問題点があった。
【０００８】
［発明の目的］
本発明は上記実情に鑑みて為されたもので、印刷媒体に付着したインクを効率的に硬化させつつ、インクフィルター、プリントヘッド内及びインク吹き出し口でインクが硬化しないようにした熱硬化型インク用ヒーター及び冷却システム、プリンタを提供することを目的とする。
【課題を解決するための手段】
【０００９】
上記従来例の問題点を解決するための本発明は、熱硬化型インク用ヒーター及び冷却システムにおいて、プリントヘッドを備えるキャリッジの移動方向に、キャリッジを冷却する冷却ファンを複数配置した冷却システムを設け、プリントヘッドから吐出された水性インクを熱で硬化させるヒーターを複数配列した冷却ファンに並行に設けたことを特徴とする。
【００１０】
本発明は、上記熱硬化型インク用ヒーター及び冷却システムにおいて、複数配列した冷却ファンでは、送風量の多い冷却ファンを中央に配置したことを特徴とする。
【００１１】
本発明は、上記熱硬化型インク用ヒーター及び冷却システムにおいて、印刷休止中のキャリッジの停止位置上部に冷却ファンを設けたことを特徴とする。
【００１２】
本発明は、上記熱硬化型インク用ヒーター及び冷却システムにおいて、複数配置した冷却ファンの内、両端の冷却ファンを内から外に風を排出するファンとしたことを特徴とする。
【００１３】
本発明は、プリンタにおいて、上記熱硬化型インク用ヒーター及び冷却システムを有することを特徴とする。
【００１４】
本発明は、上記プリンタにおいて、キャリッジでは、ヒーターの熱が当たる部分に熱を反射する耐熱カバーを設けたことを特徴とする。
【００１５】
本発明は、上記プリンタにおいて、キャリッジでは、冷却ファンからの風を取り込むための風防を設けたことを特徴とする。
【００１６】
本発明は、プリントヘッドと、当該プリントヘッドにインクを供給するインクフィルターとを備えるキャリッジを冷却する冷却システムであって、インクフィルターを上面から覆うよう金属板が設けられ、当該金属板上部にインクフィルターを冷却するために冷却液を循環させる冷却パイプを設置したことを特徴とする。
【００１７】
本発明は、プリントヘッドと、当該プリントヘッドにインクを供給するインクフィルターとを備えるキャリッジを冷却する冷却システムであって、インクフィルターと当該インクフィルターの下部に取り付けられたプリントヘッドとの間に、インクフィルター側面及びプリントヘッド側面を冷却するために冷却液を循環させる冷却パイプを設置したことを特徴とする。
【００１８】
本発明は、プリントヘッドと、当該プリントヘッドにインクを供給するインクフィルターとを備えるキャリッジを冷却する冷却システムであって、インクフィルターを上面から覆うよう金属板が設けられ、当該金属板上部に接触面を冷却させるペルチェ冷却ユニットを設置したことを特徴とする。
【００１９】
本発明は、プリンタにおいて、上記冷却システムを有することを特徴とする。
【００２０】
本発明は、プリンタにおいて、上記冷却システムと、冷却液を冷却パイプに循環させるポンプと、当該冷却液を蓄えるタンクとを有し、インクフィルターに供給するインクを冷却するためのインクタンクをタンク内に設置したことを特徴とする。
【発明の効果】
【００２１】
本発明によれば、プリントヘッドを備えるキャリッジの移動方向に、キャリッジを冷却する冷却ファンを複数配置した冷却システムを設け、プリントヘッドから吐出された水性インクを熱で硬化させるヒーターを複数配列した冷却ファンに並行に設けた熱硬化型インク用ヒーター及び冷却システムとしているので、印刷媒体に吐出された水性インクを熱で硬化させると共に、プリントヘッドの温度上昇を抑えて、安定した印刷を実現できる効果がある。
【００２２】
本発明によれば、複数配列した冷却ファンにおいて、送風量の多い冷却ファンを中央に配置した上記熱硬化型インク用ヒーター及び冷却システムとしているので、印刷媒体の中央部の温度が高くなるのを防止し、印刷媒体全体の温度を一定に保ち、温度むらを解消できる効果がある。
【００２３】
本発明によれば、印刷休止中のキャリッジの停止位置上部に冷却ファンを設けた上記熱硬化型インク用ヒーター及び冷却システムとしているので、印刷休止中でもプリントヘッドの温度上昇を抑えることができる効果がある。
【００２４】
本発明によれば、複数配置した冷却ファンの内、両端の冷却ファンを内から外に風を排出するファンとした上記熱硬化型インク用ヒーター及び冷却システムとしているので、プリンタ内の空気の流れを効率的に循環させることができる効果がある。
【００２５】
本発明によれば、上記熱硬化型インク用ヒーター及び冷却システムを有するプリンタとしているので、印刷媒体に吐出された水性インクを熱で硬化させると共に、プリントヘッドの温度上昇を抑えて、安定した印刷を実現できる効果がある。
【００２６】
本発明によれば、キャリッジにおいて、ヒーターの熱が当たる部分に熱を反射する耐熱カバーを設けた上記プリンタとしているので、キャリッジの温度上昇を抑え、引いてはプリントヘッドの温度上昇を抑えることができる効果がある。
【００２７】
本発明によれば、キャリッジにおいて、冷却ファンからの風を取り込むための風防を設けた上記プリンタとしているので、キャリッジ内に多くの冷却風が効率的に取り込まれ、キャリッジの温度上昇を抑え、引いてはプリントヘッドの温度上昇を抑えることができる効果がある。
【００２８】
本発明によれば、当該プリントヘッドにインクを供給するインクフィルターとを備えるキャリッジを冷却する冷却システムであって、インクフィルターを上面から覆うよう金属板が設けられ、当該金属板上部にインクフィルターを冷却するために冷却液を循環させる冷却パイプを設置したものとしているので、インクフィルターを冷却できる効果がある。
【００２９】
本発明によれば、プリントヘッドと、当該プリントヘッドにインクを供給するインクフィルターとを備えるキャリッジを冷却する冷却システムであって、インクフィルターと当該インクフィルターの下部に取り付けられたプリントヘッドとの間に、インクフィルター側面及びプリントヘッド側面を冷却するために冷却液を循環させる冷却パイプを設置したものとしているので、インクフィルターの側面及びプリントヘッド側面を冷却できる効果がある。
【００３０】
本発明によれば、プリントヘッドと、当該プリントヘッドにインクを供給するインクフィルターとを備えるキャリッジを冷却する冷却システムであって、インクフィルターを上面から覆うよう金属板が設けられ、当該金属板上部に接触面を冷却させるペルチェ冷却ユニットを設置したものとしているので、インクフィルターを冷却できる効果がある。
【００３１】
本発明によれば、上記冷却システムと、冷却液を冷却パイプに循環させるポンプと、当該冷却液を蓄えるタンクとを有し、インクフィルターに供給するインクを冷却するためのインクタンクをタンク内に設置したプリンタとしているので、インクフィルター等を冷却できると共にそれに供給されるインクをも冷却できる効果がある。
【発明を実施するための最良の形態】
【００３２】
本発明の実施の形態について図面を参照しながら説明する。
［実施の形態の概要］
本発明の実施の形態に係る熱硬化型インク用ヒーター及び冷却システムは、印刷媒体の表面から非接触型のヒーター、若しくは、印刷媒体の裏面から接触型のヒーターによって印刷媒体に付着したインクを暖めて硬化させ、更にプリントヘッドを直接冷却させるための複数のファンを設け、更に印刷媒体上の移動するキャリッジでヒーターの熱が当たる部分には、耐熱カバーを設けて熱を反射させる構成としている。
これにより、印刷媒体に付着したインクを熱で硬化させるものの、プリントヘッドの温度上昇を抑えて、安定した印刷を実現可能としたものである。
また、上記ヒーター及び冷却システムを用いたプリンタとすることで、安定した印刷ができるものである。
【００３３】
［プリンタの概略］
本発明の実施の形態に係る熱硬化型インク用ヒーター及び冷却システム（本システム）を用いたプリンタ（本プリンタ）について図１を参照しながら説明する。図１は、本発明の実施の形態に係るプリンタの概略図である。
本発明の実施の形態に係るプリンタの本体１は、図１に示すように、紙等の印刷媒体を加熱するヒーター２と、図左右に移動するキャリッジの軌道上に設けられた冷却ファン３ａ〜３ｇの冷却システムとを有している。
【００３４】
［ヒーター］
ヒーター２は、紙、プラスチック、金属等の印刷媒体に吹き付けた水性インクを熱で硬化させるために、印刷媒体の表面から非接触で暖める非接触型のヒーターである。
尚、ヒーターは、印刷媒体の裏面から接触して暖める接触型のヒーターであってもよい。
【００３５】
［冷却システム］
冷却システムは、図１に示すように、電源が入っていても印刷休止中の状態で、キャリッジが移動していない停止位置（図１では右側）上には形状の大きい冷却ファン３ｇが設けられ、本体１の中央部分には大きさの異なる冷却ファン３ａ〜３ｆが設けられている。
【００３６】
特に、冷却システムにおける中央の冷却ファン３ｃ，３ｄの形状が大きく、次に両隣の冷却ファン３ｂ，３ｅが、更に冷却ファン３ａ，３ｆが順に小さくなっている。
これは、ヒーター２によって印刷媒体の中央部の温度が高くなるため、中央部に多くの冷却風を送り込むよう、中央部の冷却ファンを大きく、端部に向けて冷却ファンを小さくして、印刷媒体の全体の温度を一定に保ち、温度むらを解消するためのものである。
尚、温度むらを解消するために、冷却ファンの大きさを異なるようにしたが、単純に全ての冷却ファンが同じ大きさであっても構わない。また、ファンの形状は同じでも、回転速度を変えることで、中央部のファンの風量を多く制御することも可能である。
【００３７】
更に、冷却ファン３ａ〜３ｆの全てを外から内に空気を送り込むためのファンとしてもよいが、複数（６個）設けたファンの内、両端２個のファン３ａ，３ｆは、内部の熱い空気を外へ送り出すためのものとし、それ以外のファン（中央部４個のファン３ｂ〜３ｅ）は、外から内へ冷風を取り入れるものとしている。
【００３８】
中央部４個のファンは、印刷媒体中央の温度を下げ、印刷中のキャリッジ４内に空気を送り込み、冷却する役割を果たしている。従って、中央部４個のファンと両端２個のファンによって、プリンタ本体１内の空気を効率的に循環させるものとなっている。
【００３９】
［キャリッジ、ヒーター、冷却ファンの関係］
次に、本発明の実施の形態に係るキャリッジ４と、ヒーター２と、冷却ファン３との関係について図２を参照しながら説明する。図２は、本発明の実施の形態に係るキャリッジ４と、ヒーター２と、冷却ファン３との関係を示す概略図である。
図２に示すように、キャリッジ４は、プリントヘッド４ａと、インクフィルター４ｂと、インクチューブ４ｃとを備えており、更に、キャリッジ４のヒーター２からの熱を受ける面（傾斜面）には、耐熱カバー５が取り付けられている。
この耐熱カバー５によって、ヒーター２からの熱を反射して、キャリッジ４が高温となることを防止している。尚、耐熱カバー５は、ステンレス製の金属板であってもよいし、それ以外の金属又は金属以外の素材のものであってもよい。
【００４０】
また、キャリッジ４の上面は開口しており、冷却ファン３で発生した冷却風が上部から流れ込みやすい構成となっている。
キャリッジ４の上面から冷却風が流れ込むことで、キャリッジ４内のプリントヘッド４ａ、インクフィルター４ｂ、インクチューブ４ｃを冷却でき、各部において熱による水性インクの硬化を防止している。
【００４１】
尚、ヒーター２及び冷却ファン３は、図２の手前及び奥方向に延びるように形成され、印刷媒体１０も手前及び奥方向に幅を持って設置され、キャリッジ４が図の手前及び奥方向に移動しながらプリントヘッド４ａから水性インクを吐出し、更に印刷媒体１０を図左方向（矢印方向）に徐々に移動させることで、印刷媒体１０への印刷を行うものである。
【００４２】
次に、本発明の実施の形態に係るキャリッジ４の外観について図３，図４を参照しながら説明する。図３は、風防を取り付けたキャリッジ４の外観図であり、図４は、ペルチェ冷却ユニットを取り付けたキャリッジ４の外観図である。
［キャリッジの概要１］
図３に示すキャリッジ４（第１のキャリッジ）は、ヒーター２の熱を受ける傾斜面には耐熱カバー５が設けられており、キャリッジ４の裏面及び側面に風防６が取り付けられている。
風防６には、キャリッジ４の裏面との間に冷却風を取り込む隙間が設けられている。この隙間から冷却風を取り込んでキャリッジ４の内部を冷却するようになっている。
尚、風防６は、冷却風を更に流れ込みやすくするために、上方向に広がった形状であってもよい。
【００４３】
［キャリッジの概要２］
また、図４に示すキャリッジ４（第２のキャリッジ）は、傾斜面に耐熱カバー５が設けられ、キャリッジ４の側面にペルチェ冷却ユニット７が設けられているものである。
ペルチェ冷却ユニット７は、ペルチェ素子を用いてキャリッジ４の側面を冷却するものである。
【００４４】
［ペルチェ冷却ユニット］
ペルチェ冷却ユニット７について図５を参照しながら説明する。図５は、ペルチェ冷却ユニット７の外観図である。
ペルチェ冷却ユニット７は、図５に示すように、電極を接続したペルチェ素子７ａと、ペルチェ素子７ａの発熱面に設けられたアルミ冷却板７ｂと、アルミ冷却板７ｂ上に設けられた冷却ファン７ｃとを備えている。
そして、ペルチェ素子７ａの冷却面を冷却対象物に接触させると、冷却面で冷却が為され、反対側の発熱面で発熱が起こり、その発熱をアルミ冷却板７ｂと冷却ファン７ｃとで放熱するようになっている。
【００４５】
図４では、ペルチェ冷却ユニット７をキャリッジ４の側面に接着させるようになっているが、キャリッジ４内のインクフィルター４ｂに直接接着すれば、より高い冷却効果をえることができる。
【００４６】
［キャリッジ概要３］
次に、ペルチェ冷却ユニット７と風防６とを備えたキャリッジ４について図６を参照しながら説明する。図６は、ペルチェ冷却ユニットと風防を取り付けたキャリッジの外観図である。
図６のキャリッジ４は、図３に示したように、風防６を取り付け、更に、図４に示したように、ペルチェ冷却ユニット７を取り付けた構成としている。
図６のキャリッジ４は、ペルチェ冷却ユニット７と風防６の両方を備えることで、より効果的にキャリッジ４内の冷却を実現できるものである。
【００４７】
尚、図６のキャリッジ４においても、風防を上方向に広がった形状としてもよいし、ペルチェ冷却ユニット７をインクフィルター４ｂに直接接着するようにしてもよい。
そのような構成とすることで、より冷却効果を高めることができる。
【００４８】
［実施の形態の効果］
本システム及び本プリンタによれば、ヒーター２で水性インクを硬化させると共に、冷却ファン３でキャリッジ４を冷却してキャリッジ４内での温度上昇を抑え、プリントヘッドから吐出される前のインクの硬化を防止でき、安定した印刷を実現できる効果がある。
【００４９】
本システム及び本プリンタによれば、キャリッジ４でヒーター２の熱が当たる部分に耐熱カバー５を設けるようにしているので、熱を反射させ、キャリッジ４内の温度上昇を抑えることができ、安定した印刷を実現できる効果がある。
【００５０】
本システム及び本プリンタによれば、多くの冷却風がキャリッジ４内部に流れ込むよう、キャリッジ４に風防６を設置しているので、冷却効果を向上させることができる効果がある。
【００５１】
本システム及び本プリンタによれば、プリンタ本体１の中央部に多くの冷却風を送り込むよう、中央部の冷却ファン３ｃ，３ｄを大きく、端部に向けて冷却ファンを小さくして、印刷媒体全体の温度を一定に保ち、温度むらを少なくできる効果がある。
【００５２】
また、冷却システムにおける冷却ファン３ａ，３ｆを排気用のファンとすることで、プリンタ本体１内の空気の循環を効果的に行うことができる。
【００５３】
また、本システム及び本プリンタによれば、印刷休止中のキャリッジ４上のカバーにも冷却ファン３ｇを設けるようにしているので、印刷休止中であってもキャリッジ４を冷却できる効果がある。
【００５４】
また、本システム及び本プリンタによれば、インクフィルター４ｂの側面にペルチェ冷却ユニット７を設置するようにしているので、ペルチェ素子７ａの冷却面をインクフィルター４ｂ側面に接触させ、ペルチェ素子７ａの発熱面にアルミ冷却板７ｂ、更に冷却ファン７ｃを設け、インク径路の更なる冷却を行うことができる効果がある。
【００５５】
［別の実施の形態］
次に、本発明の実施の形態に係る別のキャリッジ及び冷却システムについて図７〜図１１を参照しながら説明する。図７は、本発明の実施の形態に係る第３のキャリッジの一部の概略図であり、図８は、第４のキャリッジの一部の概略図であり、図９は、水冷パイプの概略図であり、図１０は、第５のキャリッジの一部の概略図であり、図１１は、冷却システムの冷却部分の概略図である。
【００５６】
［第３のキャリッジ］
第３のキャリッジは、図７に示すように、プリントヘッド４ａと、インクフィルター４ｂと、インクチューブ４ｃと、銅板４ｄと、ペルチェ冷却ユニット７とを備えている。
図７では、コの字型の銅板４ｄがインクフィルター４ｂを上方向から覆うように設置され、その銅板４ｄの上面にペルチェ冷却ユニット７が設けられ、ペルチェ冷却ユニット７が銅板４ｄを介してインクフィルター４ｂを冷却するようになっている。
尚、銅板４ｄは、熱伝導のよい銅を材料にした金属板であるが、アルミ等の別の金属板であってもよい。
【００５７】
［第４のキャリッジ］
第４のキャリッジは、図８に示すように、インクフィルター４ｂの上下にＵ字型の金属パイプ（冷却パイプ）８ａ，８ｂが設けられ、その金属パイプ８ａ，８ｂの中を冷却水（冷却液）が循環する構成である。
尚、金属パイプ８ａ，８ｂは、銅管を用いている。
【００５８】
上部の金属パイプ８ａは、インクフィルター４ｂの上部を覆う銅板４ｄの上面２箇所に接触するように設けられている。
下部の金属パイプ８ｂは、プリントヘッド４ａの側面に設けられている。
その金属パイプ８ｂの概略は、図９に示すように、複数個のプリントヘッド４ａの間の空間に長方形の銅板を渡し板８ｃとして設け、梯子形状となっている。よって、渡し板８ｃと隣接する渡し板８ｃとの間に、プリントヘッド４ａがはめ込まれることになる。
【００５９】
［第５のキャリッジ］
第５のキャリッジは、図１０に示すように、インクフィルター４ｂを覆う銅板４ｄの上面に短い金属パイプ９ｂを設置し、それら金属パイプ９ｂをチューブ９ａで連続して接続し、冷却液を循環させるものである。ここで、金属パイプ９ｂとチューブ９ａで冷却パイプを構成している。
尚、金属パイプ９ｂの抑えて固定すると共に、更に冷却を促す銅板等の金属板９ｃが設けられている。
【００６０】
第３のキャリッジ、第４のキャリッジ、第５のキャリッジの順で、軽量化を図っており、印刷媒体の表面を移動するキャリッジとしては、できるだけ軽量化した方が望ましい。
【００６１】
［冷却システム］
次に、第４，５のキャリッジに対する冷却システムについて図１１を参照しながら説明する。
冷却システムは、キャリッジの外部に設置されるものであり、図１１に示すように、冷却ユニット２１と、補助タンク２２と、ポンプ２３と、インクタンク２４とを基本的に有している。
尚、第４，５のキャリッジがインクフィルター４ｂの上面又は側面、プリントヘッド４ａの側面を冷却する冷却システムであり、図１１の構成は、キャリッジの冷却システムをより効率的に冷却する冷却システムということができる。
【００６２】
冷却ユニット２１は、水又はシリコンオイル等の冷却液が蓄えられて冷却する装置であり、冷却された水等を補助タンク２２に供給する第１の管２５と、金属パイプ８ａ，８ｂ又はチューブパイプ９ａを循環した水等を導入する第２の管２６とが設けられている。
【００６３】
補助タンク２２は、冷却ユニット２１から汲み上げた水等を一時的に蓄え、更に、インクタンク２４を冷却するものとなっている。
ポンプ２３は、冷却ユニット２１から冷却水等を汲み上げ、補助タンク２２内の冷却水等を金属パイプ８ａ等に送り出す（供給する）装置となっている。
インクタンク２４は、補助タンク２２内に取り付けられており、補助タンク２２内の冷却水等によって冷却されている。インクタンク２４は、外部のチューブからインクが充填され、更にインクフィルター４ｂにインクチューブ４ｃを介してインクを供給している。
【００６４】
上記冷却システムによれば、キャリッジを軽量化できると共に、水又はシリコンオイルの冷却媒体によってインクフィルター４ｂ又はインクヘッド４ａ側面を効率的に冷却できる効果がある。
【産業上の利用可能性】
【００６５】
本発明は、印刷媒体に付着したインクを効率的に硬化させつつ、インクフィルター、プリントヘッド内及びインク吹き出し口でインクが硬化しないようにした熱硬化型インク用ヒーター及び冷却システム、プリンタに好適である。
【図面の簡単な説明】
【００６６】
【図１】本発明の実施の形態に係るプリンタの概略図である。
【図２】本発明の実施の形態に係るキャリッジと、ヒーターと、冷却ファンとの関係を示す概略図である。
【図３】風防を取り付けたキャリッジ４の外観図である。
【図４】ペルチェ冷却ユニットを取り付けたキャリッジ４の外観図である。
【図５】ペルチェ冷却ユニットの外観図である。
【図６】ペルチェ冷却ユニットと風防を取り付けたキャリッジの外観図である。
【図７】本発明の実施の形態に係る第３のキャリッジの一部の概略図である。
【図８】第４のキャリッジの一部の概略図である。
【図９】水冷パイプの概略図である。
【図１０】第５のキャリッジの一部の概略図である。
【図１１】冷却システムの冷却部分の概略図である。
【符号の説明】
【００６７】
１…プリンタ本体、  ２…ヒーター、  ３…冷却ファン、  ４…キャリッジ、  ４ａ…プリントヘッド、  ４ｂ…インクフィルター、  ４ｃ…インクチューブ、  ４ｄ…銅板、  ５…耐熱カバー、  ６…風防、  ７…ペルチェ冷却ユニット、  ７ａ…ペルチェ素子、  ７ｂ…アルミ冷却板、  ７ｃ…冷却ファン、  ８ａ…金属パイプ、  ８ｂ…金属パイプ、  ８ｃ…渡し板、  ９ａ…チューブパイプ、  ９ｂ…金属パイプ、  ９ｃ…金属板、  １０…印刷媒体、  ２１…冷却ユニット、  ２２…補助タンク、  ２３…ポンプ、  ２４…インクタンク、  ２５…第１の管、  ２６…第２の管
【図１】
2006264328.tif 000003
【図２】
2006264328.tif 000004
【図３】
2006264328.tif 000005
【図４】
2006264328.tif 000006
【図５】
2006264328.tif 000007
【図６】
2006264328.tif 000008
【図７】
2006264328.tif 000009
【図８】
2006264328.tif 000010
【図９】
2006264328.tif 000011
【図１０】
2006264328.tif 000012
【図１１】
2006264328.tif 000013